(57)【要約】【課題】補正下着による血液循環やリンパ液の流れの阻害や、人体細胞の不活性化による悪影響を除去する。【解決手段】可撓性を備えると共に所定の形状への復元性を備えることにより、着用した人体の部分を変形・補正する補正下着において、着用時に人体の経絡に対応する下着の任意の箇所に、経絡を刺激する鉱物１１、１２、１３を配する。【選択図】　　　図１
0003098218.tif 000002
【実用新案登録請求の範囲】
【請求項１】
可撓性を備えると共に所定の形状への復元性を備えることにより、着用した人体の部分を変形・補正する補正下着において、着用時に人体の経絡に対応する下着の任意の箇所に、経絡を刺激する鉱物を配したことを特徴とする補正下着。
【請求項２】
可撓性を備えると共に所定の形状への復元性を備えることにより、着用した人体の部分を変形・補正する補正下着において、着用時に人体の経絡に対応する下着の任意の箇所に、経絡を刺激する鉱物を粉末としたものを添加した塗料を塗布したことを特徴とする補正下着。
【考案の詳細な説明】
【０００１】
【考案の属する技術分野】
この考案は着用した人体の部分を変形・補正する補正下着に関する。
【０００２】
【従来の技術】
可撓性を備えると共に所定の形状への復元性を備えることにより、着用した人体の部分を変形・補正する補正下着が従来公知である（公知例としては例えば実公昭６３−１５２８７、特開平８−２０９４０４、実用新案登録第３０９０４４０等）。これらの補正下着の発想は、人体の部分を伸縮性の布等で締め付け、下着の形状に沿って変形・補正しようというものである。又、これらの下着の着用により人体の細胞がその強制的な環境を覚えて痩身する効果が生じるという説もある。
【０００３】
【考案が解決しようとする課題】
前記の従来技術の補正下着は人体の部分を強制的に締め付けるので、人体の血液循環やリンパ液の流れの阻害や、人体細胞の不活性化による悪影響を及ぼす可能性があった。
【０００４】
【課題を解決するための手段】
この考案は以上の従来技術の問題点に鑑みて創作されたものであり、可撓性を備えると共に所定の形状への復元性を備えることにより、着用した人体の部分を変形・補正する補正下着において、着用時に人体の経絡に対応する下着の任意の箇所に、経絡を刺激する鉱物を配したことを特徴とする。
【０００５】
東洋医学においては、経穴（ツボ）が存在している経絡と称されるラインは、「気」の流れる場所として認識されている。近年の研究によれば、気の伝播は電磁波的エネルギーによるもので、「気」とは生体磁場であるということが定説であり、経穴は電気が流れやすいということが科学的に証明されている。
【０００６】
人体には、１２の経絡上の気の流れがあり、これらが正常に作動していることにより、血液循環やリンパ液の流れが正常になる。これに対し、正常に作動しない、即ち経絡における気の流れが滞ると、血液循環やリンパ液の流れが異常となり各器官に悪影響を及ぼすことになる。東洋医学における鍼灸治療は、この経絡における気の流れに着目し、気の流れの滞りに対し鍼や灸による刺激を与えることにより、流れを促す効果を追求したものである。
【０００７】
一方、気の流れの滞りに対しては鍼や灸による直接的な刺激の他に、ある種の鉱物が磁場誘導部として作用し、「気」を構成する生体磁場を正常化させることが知られている。又、鉱物の中には例えばトルマリンのように遠赤外線による温熱作用を生じるものもあり、この温熱が気の流れに対し刺激を与えることも知られている。
【０００８】
経絡は具体的には次の１２本があり、更にこれらの経絡のエネルギーの流れを調節する督脈と任脈という２つの経絡があり、全部合わせると１４本の経絡の気の流れが体の中に存する。
肺経・脾経・心経・腎経・心包経・肝経／大腸経・胃経・小腸経・膀胱経・三焦経・胆経
これらの経絡は人体の各部に分布しており、例えばガードルやボディスーツ、ブラジャー等の補正下着はこれらの経絡上に位置する。
【０００９】
この考案は以上の事実に着目して創作されたものであり、着用時に人体の経絡に対応する下着の任意の箇所に経絡を刺激する鉱物を配することにより、前記の鉱物による気の流れの正常化作用により、補正下着による締め付けによる人体の血液循環やリンパ液の流れの阻害や、人体細胞の不活性化による悪影響を除去する作用を生じる。尚、この考案において使用を想定する鉱物にはアルミナ系・シリカ系・カルシウム系等が存し、それぞれに異なった内容成分を有し、経絡への作用もそれぞれに異なった現象を示す。
【００１０】
【考案の実施の形態】
以下、この考案の具体的実施例を添付図面に基づいて説明する。図１及び２はこの考案を臀部及び太股部の体型を矯正するガードルに実施した例を示す図である。図中符号１０はガードルを示し、可撓性を備えると共に所定の形状への復元性を備える従来公知の補正下着の構造を有する。この実施例においては経絡に作用するための鉱物はガードルの次の箇所に配される。
（１）　太股箇所前部外側にして胆経に対応する箇所１１。
（２）　太股箇所前部中央にして脾経・胃経に対応する箇所１２。
（３）　太股箇所前部内側にして肝経に対応する箇所１３。
（４）　臀部中央にして膀胱経・胆経に対応する箇所１４。
（５）　太股箇所後部内側にして膀胱経に対応する箇所１５。
【００１１】
以上の鉱物は粉末化されたものを副材として、主材となる塗料に添加してシルク印刷などにより下着の人体側の面に印刷、塗布される。このように塗料化して塗布することにより、下着の曲面に沿って施すことが可能となり、又、下着を構成する繊維に浸透することが期待できるので、下着の折り曲げや洗濯に耐え容易に離脱することが防止される。
【００１２】
図３はこの考案を胸部、腹部、臀部及び太股部の体型を矯正するボディスーツに実施した例を示す図である。図中符号２０はボディスーツを示し、可撓性を備えると共に所定の形状への復元性を備える従来公知の補正下着の構造を有する。この実施例においては経絡に作用するための鉱物はボディスーツの次の箇所に配される。
（１）　胴部前部外側左右にして胆経に対応する箇所２１。
（２）　胴部から腹部にかけた中央左右にして胃経・肝経に対応する箇所２２。
（３）　胴部から腹部にかけた中央にして腎経に対応する箇所２３。
【００１３】
図４はこの考案を乳房を含む胸部の体型を矯正するブラジャーに実施した例を示す図である。図中符号３０はブラジャーを示し、可撓性を備えると共に所定の形状への復元性を備える従来公知の補正下着の構造を有する。この実施例においては経絡に作用するための鉱物はブラジャーの次の箇所に配される。
（１）　乳房下方にして心包経に対応する箇所３１。
（２）　胸部左右にして心経に対応する箇所３２。
【００１４】
【考案の効果】
以上の構成よりなるこの考案の補正下着によれば、下着に配された鉱物の作用により経絡の気の流れを正常化するので、補正下着の締め付けによる血液循環やリンパ液の流れの阻害や、人体細胞の不活性化による悪影響を除去することが可能となり、体型の補正と共に痩身に効果があるといわれる補正下着を安心して着用することが可能となる。
【図面の簡単な説明】
【図１】この考案をガードルに実施した例を示す正面図。
【図２】同上、背面図。
【図３】この考案をボディスーツに実施した例を示す正面図。
【図４】この考案をブラジャーに実施した例を示す正面図。
【符号の説明】
１０　　　　　ガードル
１１　　　　　鉱物
１２　　　　　鉱物
１３　　　　　鉱物
１４　　　　　鉱物
１５　　　　　鉱物
２０　　　　　ボディスーツ
２１　　　　　鉱物
２２　　　　　鉱物
２３　　　　　鉱物
３０　　　　　ブラジャー
３１　　　　　鉱物
３２　　　　　鉱物
【図１】
0003098218.tif 000003
【図２】
0003098218.tif 000004
【図３】
0003098218.tif 000005
【図４】
0003098218.tif 000006